(57)【要約】      （修正有）【課題】巣箱内部を明室にすることで、東洋ミツバチ特有の病気であるサックブルード病の予防を可能にしたミツバチ巣箱を提供する。【解決手段】ミツバチ巣箱１の側面や底面に太陽光８を取り入れる透過体２をミツバチ巣箱１の巣箱内部１６と巣箱外部７を遮断するように取り付け、透過体２の下面に反射体３を取り付けた。太陽光８は透過体２を透過して反射体３で反射され巣箱内部１６に差し込み巣箱内部１６を明室にすると共に、巣房４の下方面である育児圏１１を重点的に照射し、サックブルードウイルスの活性力を不活化すると共に、増殖をも抑制する。【選択図】図１
2014161267.tif 000002
【特許請求の範囲】
【請求項１】
ミツバチ巣箱内部を明室空間にする太陽光を取り入れる透過体を、前記ミツバチ巣箱に取付けたことを特徴とするミツバチ巣箱。
【請求項２】
前記透過体に、反射体およびまたは、透過液を介在させたことを特徴とする請求項1記載のミツバチ巣箱。
【発明の詳細な説明】
【技術分野】
【０００１】
本発明は、巣箱内部を明室にすることで、東洋ミツバチの病気であるサックブルード病の予防を、可能にしたミツバチ巣箱に関するものである。
【背景技術】
【０００２】
このサックブルード病は東洋ミツバチ特有の病気であり、最初に東南アジアの東洋ミツバチが壊滅したタイサックブルード病に始まり、現在は韓国ミツバチも壊滅状態である。日本ミツバチに於いても１０年位前に鹿児島で発症が確認され今では九州四国全土に伝染している。本州の各地でもサックブルード病が発生しているとの報告があっており、現在、このサックブルード病に対する予防方法は無い。
【先行技術文献】
【特許文献】
【０００３】
【特許文献１】特許公開2012-034615号  公報
【特許文献２】特許公開2011-139676号  公報
【発明の概要】
【発明が解決しようとする課題】
【０００４】
ミツバチの巣箱に関する先行技術は多数公開されているが、例えば特許公開2012-034615号公報と特許公開2011-13967号公報6は採蜜方法に関する技術で、双方共、内部観察時に開閉を可能とするものであり、当サックブルード病の予防方法に関する技術では無い。
【０００５】
当サックブルード病に罹った蜂群では巣房に女王蜂によって生み付けられた卵が幼虫になった過程で体内が白いべっとりとしたゲル状になり、発育不良と確認された幼虫は働き蜂によって巣房から引っ張り出され、殆どの幼虫が捨てられてしまい成虫まで成長出来ない。若蜂が羽化しない蜂群は当サックブルード病の発症から２か月位で消滅するか、その前に巣を捨てて逃去してしまう。原因はネオノコチノイド系農薬に含まれる蓄積性神経毒アセタミプリドが動物の神経伝達物質アセチルコリンと類似するためシナプス後膜のニコチン性アセチルコリン受容体に結合し神経の興奮とシナプス伝達の遮断を引き起こすことで交感神経や副交感神経や自立神経等の機能不全が起き免疫力の低下が起きることである。
【０００６】
ミツバチの幼虫の体内のリボゾームではアミノ酸を取り入れ働き蜂では１９日で、また女王蜂では１５日で卵から成虫になる為に盛んに生産されるタンパク質が当タンパク質に付随する糖鎖受容体によって互いに結合しポリペプチド結合鎖が形成されるのが通常である。しかし神経系の機能不全を招き免疫力の低下したミツバチの幼虫では糖鎖受容体の結合先確認感度不全が起こり当糖鎖受容体と類似するサックブルードウイルスの受容体と誤認結合を引き起こしタンパク質がポリペプチド結合鎖にならない。
【０００７】
以上のことからサックブルード病の罹病を防止するためには、ミツバチの幼虫のリボゾームで生産されるタンパク質の糖鎖受容体とサックブルードウイルスの受容体とが結合しない様にすることが課題である。
【課題を解決するための手段】
【０００８】
本発明は、ミツバチ巣箱内部を明室空間にする太陽光を取り入れる透過体を、ミツバチ巣箱に取付けて、透過体に、反射体およびまたは、透過液を介在させたことを特徴とするミツバチ巣箱である。以下、本発明の背景等を含め、具体的に説明する。現在地球上において動物の神経系を脅かすネオニコチド系農薬散布が一般的に行われている。この中には蓄積性神経毒アセタミプリドが徐々に体内に入って蓄積しているものと予測される。人体においても自己免疫疾患症の増加が起きており、内分泌攪乱化学物質の影響は神経のコントロールによって管理されている全ての動物に何らかの影響があるものと予測される。この免疫力の低下による現象が東洋ミツバチに出たのがサックブルード病と推察される。
【０００９】
サックブルード病はどんなに超強群ミツバチであっても弱小群ミツバチであっても関係なく巣房の幼虫にサックブルードウイルスの感染が起これば発症し、発症して数か月で群は消滅する。
そうすると当ウイルスも生きたタンパク質が生産されない巣房では長くない期間で不活化し消滅してしまう。その為、次に別の群が同巣箱に暫く期間が空いてから入居した場合、当病気は発症しない。その地域の接触可能な場所に発症群が居ると、いずれ蜂蜜と巣房はそのまま残して蜂だけが消滅した感染蜜を盗蜜という行動で健全群が当サックブルードウイルスを持ち帰り、同じく発症する。この繰り返しがその地域にいつまでも当病気が無くならない原因であり、当病気が地域的に点在するのはこの為である。
【００１０】
1群が罹ると盗蜜という行動で周囲の蜂群に伝染していくが炎天下に設置した巣箱の蜂群は周囲の蜂群が当病気に罹っていても発症しない事がある。これは直射日光の照射による日光消毒か、巣箱内が高温になる為に当サックブルードウイルスの不活化が行われている為と思われる。
【００１１】
また家屋の床下東向きの通気口近くの内部に営巣している蜂群は当病気に罹らないで強群になっていることが多い。これは朝日の日光が通気口より床下へ差し込み巣房下方部の育児圏を照射する効果によるものと考えられる。尚、この場合巣房の周囲は広い空間なので温度上昇は余りしない。
【００１２】
感染群の内見後正常群に触ると殆ど感染する。ただし感染群を触った後に器具、手袋、体をしばらく日光に当ててから正常群に触っても殆ど感染しない。その他、エタノール消毒液や強酸性水で消毒してから触っても感染は起こりにくい。従って、サックブルードウイルスは日光あるいはエタノール消毒液や強酸性水で殺菌が可能なことが分かる。
【００１３】
夏から秋にかけて、大スズメ蜂の襲撃を受けた群は当病気の発症が多い。これは感染群正常群関係なく無差別に複数の営巣群に襲来を繰り返す大スズメ蜂がサックブルードウイルスを運んでいるものと思う。それに加え、常時スズメ蜂の攻撃を受けることで長時間巣箱からの出入りが出来ず大きなストレスを受ける事も免疫力低下の一因である。
【００１４】
当病気に罹り現在の住まいを諦めて逃去した群が一度外界で木の枝等に止まり蜂球を作り数時間、若しくは、数日たってから次の新居住場所に営巣した場合、逃去群は順調に営巣していくことも良くある。その上新居住地が前居住群消滅後２か月以上経っている場所で有れば当病気に罹ることなく順調に営巣している群もある。これはウイルスが活性を維持していく為に必要な生きたタンパク質が消滅してある一定期間経過するとサックブルードウイルスは不活化する証である。
【００１５】
当病気に罹った群れが逃去して健全群営巣場所に群れごと侵入しようとすることがあるが、戦いの末、殆どが消滅してしまう。そうすると今度は襲撃を受けた健全群が必ず当病気に罹るこのことからサックブルードウイルスは接触感染である証である。
【００１６】
発症直後の感染弱小群巣箱を蜂ごと逆さにして巣房に直接日光を数日かけて数回照射するとサックブルード病が止まったことが数回あった。この事から当サックブルードウイルスは太陽光線を浴びると不活化する証である。しかし強群の場合はこの方法で成功したことは無い。
【００１７】
感染巣房にPH2.2〜2.7、酸化還元電位1100ｍｖ〜980ｍｖ位の超酸化水を噴霧すると子捨てが一時止まる。これは超酸化水の刺激によって働蜂が幼虫を捨てる作業を中止しただけであり巣房内の蜂児にあるサックブルードウイルスの活性力が衰えた訳では無く、2〜3日すると再び子捨てが始まる。即ち幼虫の体内にあるウイルスまでは不活化できないことが分かる。
【００１８】
有機物の結合を切断する低圧紫外線で感染群を巣箱ごと照射を試みたが営巣蜂自身へのダメージが大きく上手くいかなかった。ただし一度成虫を追い出し子供と巣箱内部全体を２５４nmの紫外線光とその時発生するオゾンで殺菌すれば有効な手法になると考える。
【００１９】
サックブルード病は子捨て現象の一部であり捨てられた幼虫を良く観察して診断する必要がある。働き蜂は正常に成長出来ない蜂児は全て捨ててしまう。当病気以外の子捨ての原因としてはスムシの巣房での発生、餌不足、育児圏の高温化又は低温化、西洋ミツバチの適正日齢数外の巣箱への挿入等が考えられる。
【００２０】
タイサックブルード病は１９８０年ごろに東南アジアで確認されているが、これはベトナム戦争で使用された枯葉剤の影響がその後東南アジア広域の生態に影響を与えたものと思われる。この枯葉剤はベトナムだけでも１５万人以上の子供に神経性障害、身体性障害、免疫性障害などの異変を起こした除草剤である。これだけ人体に影響を与えた除草剤が同じく神経でコントロールして動く物と定義されるすべての動物に影響がなかったとは考えられない。例にもれず、東南アジアのミツバチも神経にダメージを受け神経伝達物質であるアセチルコリンのシナプスでの受容コントロール機能不全を起こし免疫力が低下して当病気を発症したものと考える。
【００２１】
当サックブルード病に罹り消滅した群れの巣房には蜂蜜が残ったままになっていることが多い。正常群巣房ではどうにかして産卵しようとするツヅリ蛾であるが蜂が居なくなっていても感染群巣房には好んで産卵しようとしない。しかし２か月後位にはスムシの発生を巣房上部に確認出来る。その為に、この巣房では感染蜜が放置される無防備期間が出来他群正常群が持ち去り感染が広がっていく。当病気に罹った群れは人にも感じ取れる微かな独特の異臭がする。その為か、感染群巣箱を夏場の暗い時間に観察すると、無防備になっている巣箱の近くにツズリ蛾はいても意欲的に巣門から入ろうとはしない。当病気は太古の昔から発生しているものと考えられるが、ツズリ蛾は幾度となく当病気に出合いサックブルードウイルスが活性力を持っている期間に感染巣房へ産卵しても何らかの影響がある事を知っているものと考えられる。
【００２２】
感染蜂蜜を正常群が盗蜜した場合は、略100％当病気を発症するが、感染群の巣房を蜂蜜と幼虫と蛹と花粉を付けたまま少量の水を加えた鍋に入れて沸騰するまで煮詰めてから当溶剤を正常群に与えても当サックブルード病の発症は起きない。これはサックブルードウイルスが熱によって不活化出来る証である。
【００２３】
サックブルード病に罹り激しく蜂児が捨てられている群れでも成虫がこのサックブルーウイルスによって死んで行くことはない。成虫になればそれ以上自己個体の成長はなく、製造されるタンパク質はローヤルゼリーと蜜ろうでありこれは自己個体の為の生産物ではないからである。
【００２４】
サックブルード病に罹っているミツバチの巣房を鍋で沸騰させて健全群に舐めさせても当サックブルード病の発症は全く起こらない。これは当サックブルードウイルスは高熱にさらすと不活化する証である。
【００２５】
キトサンと巣房を沸騰させて作った不活化溶剤を砂糖水に混ぜて感染群ミツバチに与えるとサックブルード病が止まる事がある。この溶剤はキトサンを生物は糸状菌と誤認して免疫力を高める効果と不活化溶剤によって抗体保有を目的とした溶剤であるが昆虫には獲得免疫力は無いと言うのが定説であり不活化溶剤の効果は定かではない。
【００２６】
生態波長である8〜15ミクロンの遠赤外線を巣箱下方より巣房と蜂に巣房が解ける位の高温になるまで照射するとサックブルード病は止まる。但し営巣蜂へのダメージも大きい。
【００２７】
自然界における野生群を数多く観察すると暗室半閉鎖空間での営巣群が多いが明るい開放空間での営巣群も時々見かける。但し、開放空間群は殆どがその年に害敵の攻撃によって消滅する。そこで暗室閉鎖空間営巣群の側面壁を取り外し明るい開放空間にしてそのまま放置してみたが何ら問題無く営巣している。この事からミツバチは明室半閉鎖空間でも問題なく暗室半閉鎖空間同様営巣する事が判明した。これは分蜂群が入居場所を選択する際明るいか暗いかよりも害敵の攻撃を防ぎ易いかと空間の広さと住み心地（温度、湿度）と周囲の環境の判断が優先するものと考えられる。但し自然界では適当な明室半閉鎖空間は殆ど無く長年の経験から自然と暗室半閉鎖空間に入居するようになったものと考える。
【００２８】
病原体（ダニや菌類やウイルス）は殆どが嫌光性であり、畳や布団や洗濯物を日光にあてて干す日光消毒は病原体消滅に有効な手段である。
【００２９】
以上の事からサックブルードウイルスはあまり強いウイルスではなくHIVウイルス並みの強さの病原体と判明した。当サックブルードウイルスの感染は殆どが接触感染であり太陽光線を浴びると不活化することも判明した。そこで通常は暗室である巣箱内部を明室にすることで持ち込まれるサックブルードウイルスを取り入れる太陽光線で照射しウイルスが増殖する前に不活化してサックブルードウイルスの巣房での活性力を未然に抑える事が可能な事が判明した。
【００３０】
以上、種々の試験や検討結果を踏まえ、従来の巣箱は害敵の侵入防止や暗室にする為と熱の遮断の為に材木など不透過素材で作られているが、逆に光を通す透明なガラスやアクリルや金網等の透過素材を用いて内部に光を取り入れ、敢えてミツバチ巣箱内部を明室空間にする透可体を用いることを特徴とするミツバチ巣箱とした。
【００３１】
更に巣箱内部に光を取り入れる透可体下方に光を反射する反射体を設け巣箱外部上方部より注ぎ込む光を反射させてミツバチ巣箱内部では光が下から上方向に照射し巣房下部にある育児圏を重点的に照射するミツバチ巣箱とした。
併せて、透過体の内部に赤外線を吸収する液体を封入することで、太陽光の照射で巣房内部の温度上昇を防止可能とするミツバチ巣箱とした。
【発明の効果】
【００３２】
本発明の巣箱内部を明室空間にするミツバチ巣箱は、殆どが嫌光性であるウイルスや病原菌やダニなど病原体の生息環境悪化空間を形成でき病原体の増殖を抑制する事が出来る。しかも営巣ミツバチには巣箱内部を明室にした事での影響は殆ど与えることは無い。
【００３３】
但し、明室開放空間であれば害敵からの攻撃を受けやすく害敵に対する防御力が弱い。そこで巣箱内部と巣箱外部を遮断する透過体を介して外部光を巣箱内部に取り入れる事でスズメ蜂を初めとする害敵の侵入を防ぐ事が出来る。その上、当透過体を太陽の光が当たる方向に設置する事で内部に太陽光線を取り入れる事が可能と成り、巣箱内部の明るさは増しサックブルードウイルスの不活化効果も上がる。
【００３４】
更に、透過体下部に反射体を設ける事で、あたかも太陽光線が巣箱内部の下方から照らし出す格好になり、巣房下部のミツバチの幼虫が生息している育児圏を重点的に照射出来サックブルードウイルスの不活化の効果を高める事が出来る。
【００３５】
太陽光線は時間と共に照射角度が変化するので巣箱内部の反射体への照射角度も逐次変化
し、万遍なくミツバチ巣箱内部の育児圏に照射できる。
【００３６】
さらに、巣箱内を明室空間にする方法は東洋ミツバチだけに留まらず西洋ミツバチの
病原菌やウイルスやダニ等の巣箱内での増殖の抑制効果も期待できる。
併せて、透過体の内部に赤外線の熱を吸収する液体を封入することで、太陽光の照射で巣箱内部の温度が上昇することを抑え、営巣群の熱でのダメージを防止可能とすることが出来る。
【図面の簡単な説明】
【００３７】
【図１】本発明の実施形態を示す一例のミツバチ巣箱の全体斜視図である。
【図２】図1に図示のミツバチ巣箱のA-A矢視断面図である。
【図３】図1に図示のミツバチ巣房の領域別役割説明図である。
【図４】ミツバチ幼虫のリボゾームで製造された単体タンパク質が糖鎖受容体によって互いにα結合しポリペプチド結合鎖になっている正常ミツバチ幼虫でのタンパク質のイメージ図である。
【図５】ミツバチ幼虫のリボゾームで製造されたタンパク質に付随する糖鎖受容体にウイルスが噛み込みタンパク質が鎖状になれず乳白色のべっとりしたゲル状幼虫が確認できるサックブルード病時のミツバチ幼虫でのタンパク質とサックブルードウイルスの結合イメージ図である。
【図６】家屋の軒下の明るい開放空間に掛けられたミツバチの巣房を示す説明図である。
【図７】ミツバチ巣箱の側面を透過体にして巣箱内部を明室にした一例の図である。
【図８】ミツバチ巣箱の側面一部を透過体にして底面巣箱内部側に反射体を設置して透過体を通過して差し込んで来た太陽光で巣箱内部を明室にすると共に重点的に巣房下部に照射した一例の図である。
【図９】ミツバチ巣箱の底面を透過体にしてその下方に反射体を設け反射体で反射した太陽光線を巣箱内部に取り入れ巣箱内部を明室にした一例の図である。
【発明を実施するための形態】
【００３８】
従来の巣箱は害敵の侵入防止や暗室にする為と熱の遮断の為に材木など不透過素材で作られているが、本発明では、逆に光を通す透明なガラス板やアクリル板、金網等の透過素材を用いて内部に光を取り入れ、敢えてミツバチ巣箱内部を明室空間にする透可体を用いた。
【００３９】
更にミツバチ巣箱内部に光を取り入れる透可体下方に光を反射する反射体を設けミツバチ巣箱外部上方部より注ぎ込む光を反射させてミツバチ巣箱内部では光が下から上方向に照射し巣房下部にある育児圏を重点的に照射した。
併せて、透過体の内部に赤外線を吸収する液体を封入することで、太陽光の照射でミツバチ巣房内部の温度上昇を防止可能となった。
【実施例】
【００４０】
図１は、発明の実施形態を示す一例の本装置の全体斜視図であって、内部構造を説明するために一部切り開いた図である。
図1に図示する如くミツバチ巣箱1の側面19や底面20に太陽光8を取り入れる透過体2（市販のペットボトル）をミツバチ巣箱1の巣箱内部16と巣箱外部7を遮断するように取り付け、透可体2の下面に反射体3（缶ビ−ルの半割）を取付けた、太陽光8は透過体2を透過して反射体3で反射され巣箱内部16に差し込み巣箱内部16を明室にすると共に、巣房4の下方面である育児圏11を重点的に照射し、図5に示すサックブルードウイルス14の活性力を不活化すると共に、図3で示す巣房下部の育児圏11での増殖をも抑制する透過体2は巣箱内部16と巣箱外部7を遮断するので害敵の侵入をも防止出来た。
【００４１】
図2は、図１のA-A矢視断面図であり、太陽光8の巣箱内部16の照射説明図であり、太陽光8と透過体2と反射体3の詳細図であって、透過体2を太陽光が透過する透明容器5と透明溶液6（水）とで形成する事で太陽光8が透明溶液6を通過する時には太陽熱を吸収し巣箱内部16の昇温防止効果が有る。巣箱1の設置場所や設置方向によって照射量が変わって来るが、時間帯による巣箱内部16の太陽光8の照射部位も変化する。
なお、本実施例では、透明溶液6に水を用いたが、光を通す油等を用いることができる。
【００４２】
図3は、図1で図示する巣房4の部位的役割図であって、上層部は蜂蜜を溜める貯蜜圏9である。中層部は貯蜜圏9や育児圏11も混在するが主に花粉を集めておく花粉圏10である。下層部は女王蜂が卵を産み付けて働き蜂が子育てする育児圏11である。この育児圏11で育てられるミツバチの幼虫が成長する時に盛んに図4に図示する新しいタンパク質12が生産される。
【００４３】
図４は、図3の育児圏11で育てられるミツバチ幼虫のリボズームで盛んに生産されるタンパク質12が当タンパク質12に付随する糖鎖受容体13のα結合によって正常にポリペプチド結合鎖が形成されたイメージ図である。この場合はリボゾームに各種アミノ酸をT-RNAとM-RNAによって取り入れサブユニットの水槽縮合によって変換され製造されたタンパク質12がお互いに結合しポリペプチド結合鎖が形成され正常細胞ができ組織へとなり成虫へと羽化する時の正常結合イメージ図である。
【００４４】
図５は、免疫不全東洋ミツバチ幼虫のリボゾームで製造されたタンパク質12-1の感度不全糖鎖受容体13−1がサックブルードウイルス14のサックブルードウイルス受容体15と誤認結合しポリヘ゜フ゜チド結合鎖になれないサックブルード病の原因イメージ図であって、サックブルード病に感染しているミツバチ幼虫が目視によってべっとりしたゲル状に見えるのはミツバチ幼虫の体内でタンパク質12-1単体の集合体として存在が確認出来るからである。
【００４５】
図6は、家屋17の軒下18に営巣した日本ミツバチの巣房4であって、明るい場所での開放空間営巣群の図である。明るい所では当サックブルード病に罹りにくい一例図である。しかし、殆どがその年の夏から秋にかけて大スズメ蜂の襲撃を受け防御できず消滅する。
【００４６】
図7は、本発明の別の実施形態を示したものであり、ミツバチ巣箱1のA-A矢視断面図において、巣箱内部16を明室にする為に巣箱側面19を透可体2にして、透過体2から巣箱外部7の太陽光8を取り入れる様にした時の図面である。
【００４７】
図8は、本発明の別の実施形態を示したものであり、図１のA-A矢視断面図において、巣箱1の側面19の下方部を透過体2にして底面20の巣箱内部16側に反射体3を設ける事で害敵の侵入を防ぐと共に太陽光8によって巣箱内部16を明室にすると共に巣房4の育児圏11を重点的に照射している図である。
【００４８】
図9は、本発明の別の実施形態を示したものであり、図１のA-A矢視断面図において、巣箱1の底面20を透可体2にして透過体2の下方に反射体3を装備した時の図面であって、太陽光8は巣箱1の下方に装備された反射体3によって反射し底面20として装備されている透過体2を透過し巣箱内部16を明室にすると共に巣房4の下方部育児圏1１を重点的に照射している時の図である。
【産業上の利用可能性】
【００４９】
本発明によれば、本装置を利用することで害敵の侵入を防ぎながら巣箱内部を明室に出来ると共に、生きたタンパク質が製造される巣箱内のミツバチ巣房の下方部の育児圏を重点的に太陽光線で照射する事が出来る。それによって生きたタンパク質で増殖するが日光に当たると不活化する巣箱内に持ち込まれたサックブルードウイルスの活性を抑制し不活化する事が可能となりサックブルード病の発症を予防出来る。
【符号の説明】
【００５０】
１    ミツバチ巣箱
２    透過体          
３    反射体  
４    巣房    
５    透明容器  
６    透明溶液            
７    巣箱外部        
８    太陽光  
９    貯蜜圏  
１０  花粉圏    
１１  育児圏      
１２  タンパク質
12−1  タンパク質    
１３  糖鎖受容体
13−1  感度不全糖鎖受容体
１４  サックブルードウイルス            
１５  サックブルードウイルス受容体
１６  巣箱内部
１７  家屋
１８  軒下
１９  側面
２０  底面
【図１】
2014161267.tif 000003
【図２】
2014161267.tif 000004
【図３】
2014161267.tif 000005
【図４】
2014161267.tif 000006
【図５】
2014161267.tif 000007
【図６】
2014161267.tif 000008
【図７】
2014161267.tif 000009
【図８】
2014161267.tif 000010
【図９】
2014161267.tif 000011